(57)【要約】【課題】袋本体１１０を少しずつ食品１３０に対して相対的に下方にずらす、すなわち、食品１３０を少しずつ袋本体１１０に対して相対的に上方に押し上げることにより、食品１３０の部分１３２を袋本体１１０の開口部１１１から外側に露出させるという、従来は困難であった作業を比較的容易に行うことを可能にする食品用袋を提供する。【解決手段】食品用袋１００は、袋本体１１０と、袋本体１１０に取り付けられた一対の指サック部材１２０とからなり、ユーザーは一対の指サック部材１２０の各々に指を入れて袋本体１１０及び袋本体１１０の中の食品１３０を掴むことができ、上記の作業を比較的容易に行うことができる。【選択図】図２
2010116166.tif 000002
【特許請求の範囲】
【請求項１】
開口部を有する袋本体と、一対の指サック部材とを備える食品用袋であって、
前記一対の指サック部材の各々は、前記袋本体の前記開口部を形成する側面のうち、少なくとも相互に対向する側面の少なくとも何れか一方の外側表面に沿って延びており、
前記一対の指サック部材の各々には前記食品用袋のユーザーが一本の指を入れることができる空洞部が形成されており、
前記一対の指サック部材は、前記空洞部の開口部が同じ方向を向くように、前記袋本体に対して取り付けられている食品用袋。
【請求項２】
前記一対の指サック部材の各々は前記袋本体とは別体の袋状部材からなるものであることを特徴とする請求項１に記載の食品用袋。
【請求項３】
前記一対の指サック部材の各々は、前記袋本体の外側表面に接合されることにより前記空洞部を形成するシート状部材からなるものであることを特徴とする請求項１に記載の食品用袋。
【請求項４】
前記食品用袋は複数対の指サック部材を備えており、前記複数対の指サック部材は前記開口部と前記袋本体の底部との間において相互に間隔を開けて配置されていることを特徴とする請求項１乃至３の何れか一項に記載の食品用袋。
【請求項５】
開口部を有する袋本体と、一対の指サック部材とを備える食品用袋であって、
前記一対の指サック部材の各々は、前記袋本体の前記開口部を形成する側面のうち、少なくとも相互に対向する側面の少なくとも何れか一方の外側表面に沿って延びており、
前記一対の指サック部材の各々は、前記開口部と前記袋本体の底部とにおいて両端が接合されたシート状部材からなり、
前記一対の指サック部材の各々と前記袋本体の外側表面との間には、前記食品用袋のユーザーが指を入れることができる空洞部が形成されるものである食品用袋。
【請求項６】
開口部を有する袋本体を備える食品用袋であって、
前記袋本体の前記開口部からは、前記袋本体の底部から前記開口部に向かう方向に指サック形成面が延びており、
前記指サック形成面の外側表面及び前記袋本体の外側表面の少なくとも何れか一方には少なくとも一つの接着性領域が形成されている食品用袋。
【請求項７】
開口部を有する袋本体を備える食品用袋であって、
前記袋本体の底部からは、前記開口部から離れる方向に指サック形成面が延びており、
前記指サック形成面の外側表面及び前記袋本体の外側表面の少なくとも何れか一方には少なくとも一つの接着性領域が形成されている食品用袋。
【請求項８】
開口部を有する食品用袋の前記開口部を形成する側面のうち、少なくとも相互に対向する側面の各々の外側表面に接着することにより使用される指サックであって、
前記指サックは一対の指サック部材からなり、
前記一対の指サック部材の各々には前記食品用袋のユーザーが一本の指を入れることができる空洞部が形成されており、
前記一対の指サック部材は、前記一対の指サック部材の各々の前記空洞部の入り口が隣接するように、配置されている指サック。
【請求項９】
前記指サックは、前記一対の指サック部材を連結する平面状領域を有することを特徴とする請求項８に記載の指サック。
【請求項１０】
前記一対の指サック部材の相互に対向する表面には前記食品用袋の前記外側表面に対して接着可能な接着性領域が形成されていることを特徴とする請求項８または９に記載の指サック。
【発明の詳細な説明】
【技術分野】
【０００１】
本発明は食品用袋に関し、より詳細には、例えば、フライドチキンやコロッケなどの揚げ物のように、手で直接触れると手が汚れるような食品を入れる食品用袋に関する。
【背景技術】
【０００２】
手で直接触れると手が汚れるような食品（例えば、フライドチキンやコロッケなどのように油で揚げたもの、ドーナツやパイのように表面に粘着性のシロップや調味料が付着しているものなど）を店内（あるいは店外）で食する場合、袋（多くの場合、紙製）に入れられて、購入者に渡されることが多い。
【０００３】
このような場合に購入者の手が汚れないような食品包装袋が提案されている（特許文献１）。
【特許文献１】実用新案登録第３１０５４０８号公報
【発明の開示】
【発明が解決しようとする課題】
【０００４】
袋に入れられた食品を食する場合、購入者は袋の外側から片手で袋の中の食品を掴んで食品を支持し、袋の開口部から外部に露出している食品に齧りつくことになる。
【０００５】
フライドチキンやコロッケなどのように長さのある食品をこのようにして食する場合、食品の一部（すなわち、開口部から外部に露出していた部分）を食べ終わった後、袋の中に隠れている部分を開口部の外側に引きずり出す必要がある。
【０００６】
この場合、購入者は、袋を少しずつ食品に対して相対的に下方にずらすことにより、食品を袋に対して相対的に上方に押し上げ、最終的に、食品を開口部から外部に露出させる作業を行わなければならない。
【０００７】
当然のことながら、この作業は、食品が袋ごと落ちないように、指で食品及び袋の双方を抑えながら行うことが必要である。
【０００８】
しかしながら、多くの人にそのような経験があるものと思われるが、指で食品及び袋の双方を抑えながら、袋を少しずつ食品に対して相対的に下方にずらす、すなわち、食品を少しずつ袋に対して相対的に上方に押し上げるという作業はかなり困難な作業に属する。
【０００９】
特許文献１に記載されている食品包装袋は、購入者の手が汚れないように、袋本体の内側に不織布を配置しただけのものであり、特許文献１においては、上記のような作業が困難であることは認識されておらず、さらには、そのような作業を回避するための提案もなされていない。
【００１０】
本発明はこのような問題に鑑みてなされたものであり、上記のような困難な作業を比較的容易に行うことを可能にする食品用袋及び食品用袋に用いる指サックを提供することを目的とする。
【課題を解決するための手段】
【００１１】
以下に、「発明の実施の形態」において使用される参照符号を用いて、上述の課題を解決するための手段を説明する。これらの参照符号は、「特許請求の範囲」の記載と「発明の実施の形態」の記載との間の対応関係を明らかにするためにのみ付加されたものであり、「特許請求の範囲」に記載されている発明の技術的範囲の解釈に用いるべきものではない。
【００１２】
上記の目的を達成するため、本発明は、開口部（１１１）を有する袋本体（１１０）と、一対の指サック部材（１２０）とを備える食品用袋（１００）であって、前記一対の指サック部材（１２０）の各々は、前記袋本体（１１０）の前記開口部（１１１）を形成する側面のうち、少なくとも相互に対向する側面の少なくとも何れか一方の外側表面（１１２）に沿って延びており、前記一対の指サック部材（１２０）の各々には前記食品用袋（１００）のユーザーが一本の指を入れることができる空洞部（１２１）が形成されており、前記一対の指サック部材（１２０）は、前記空洞部（１２１）の開口部（１２２）が同じ方向を向くように、前記袋本体（１１０）に対して取り付けられている食品用袋（１００）を提供する。
【００１３】
例えば、前記一対の指サック部材（１２０）の各々は前記袋本体（１１０）とは別体の袋状部材からなるものとすることができる。
【００１４】
あるいは、前記一対の指サック部材（３２０）の各々は、前記袋本体（１１０）の外側表面（１１２）に接合されることにより前記空洞部（１２１）を形成するシート状部材（３２２）からなるものとすることができる。
【００１５】
前記食品用袋（２００、４００）は複数対の指サック部材（２２０Ａ、２２０Ｂ、２２０Ｃ：３２０Ａ、３２０Ｂ、３２０Ｃ）を備えることができる。この場合、前記複数対の指サック部材（２２０Ａ、２２０Ｂ、２２０Ｃ：３２０Ａ、３２０Ｂ、３２０Ｃ）は前記開口部（１１１）と前記袋本体（１１０）の底部（１１３）との間において相互に間隔を開けて配置される。
【００１６】
さらに、本発明は、開口部（６１１）を有する袋本体（６１０）と、一対の指サック部材（６２０）とを備える食品用袋（６００）であって、前記一対の指サック部材（６２０）の各々は、前記袋本体（６１０）の前記開口部（６１１）を形成する側面のうち、少なくとも相互に対向する側面の少なくとも何れか一方の外側表面（６１２）に沿って延びており、前記一対の指サック部材（６２０）の各々は、前記開口部（６１１）と前記袋本体（６１０）の底部（６１３）とにおいて両端が接合されたシート状部材（６３０）からなり、前記一対の指サック部材（６２０）の各々と前記袋本体（６１０）の外側表面（６１２）との間には、前記食品用袋（６００）のユーザーが指を入れることができる空洞部（６２１）が形成されるものである食品用袋（６００）を提供する。
【００１７】
さらに、本発明は、開口部（７１１）を有する袋本体（７１０）を備える食品用袋（７００）であって、前記袋本体（７１０）の前記開口部（７１１）からは、前記袋本体（７１０）の底部（７１３）から前記開口部（７１１）に向かう方向に指サック形成面（７２０）が延びており、前記指サック形成面（７２０）の外側表面（７２１）及び前記袋本体（７１０）の外側表面（７１２Ａ）の少なくとも何れか一方には少なくとも一つの接着性領域（７２２）が形成されている食品用袋（７００）を提供する。
【００１８】
さらに、本発明は、開口部（７１１）を有する袋本体（７１０）を備える食品用袋（９００）であって、前記袋本体（７１０）の底部（７１３）からは、前記開口部（７１１）から離れる方向に指サック形成面（９２０）が延びており、前記指サック形成面（９２０）の外側表面及び前記袋本体（７１０）の外側表面の少なくとも何れか一方には少なくとも一つの接着性領域（９２２）が形成されている食品用袋（９００）を提供する。
【００１９】
さらに、本発明は、開口部を有する食品用袋の前記開口部を形成する側面のうち、少なくとも相互に対向する側面の各々の外側表面に接着することにより使用される指サック（１０００）であって、前記指サック（１０００）は一対の指サック部材（１１００）からなり、前記一対の指サック部材（１１００）の各々には前記食品用袋（１３００）のユーザーが一本の指を入れることができる空洞部（１１１１）が形成されており、前記一対の指サック部材（１１００）は、前記一対の指サック部材（１１００）の各々の前記空洞部（１１１１）の入り口が隣接するように、配置されている指サック（１０００）を提供する。
【００２０】
前記指サック（１０００）は、前記一対の指サック部材（１１００）を連結する平面状領域（１２００）を有するものとして構成することができる。
【００２１】
前記一対の指サック部材（１１００）の相互に対向する表面（１１１２）には前記食品用袋（１３００）の前記外側表面に対して接着可能な接着性領域（１１１３）が形成されていることが好ましい。
【発明の効果】
【００２２】
本発明に係る食品用袋によれば、ユーザーは一対の指サック部材に入れている２本の指を使って（あるいは、他の３本の指も使って）、袋本体を少しずつ食品に対して相対的に下方にずらす、すなわち、食品を少しずつ袋本体に対して相対的に上方に押し上げることにより、袋本体の中にある食品の部分を袋本体の開口部から外側に露出させるという、従来は困難であった作業を比較的容易に行うことができる。
【発明を実施するための最良の形態】
【００２３】
（第一の実施形態）
図１（Ａ）は本発明の第一の実施形態に係る食品用袋１００の平面図であり、図１（Ｂ）は食品用袋１００を図１（Ａ）のＢ方向から見たときの上面図である。
【００２４】
本実施形態に係る食品用袋１００は、袋本体１１０と、一対の指サック部材１２０と、を備えている。
【００２５】
袋本体１１０はその上端（図１（Ａ）における上端）において一つの開口部１１１を有しており、開口部１１１以外の領域は閉じられている。
【００２６】
袋本体１１０は紙、ビニールその他の樹脂などの材質からなる。例えば、油で揚げた物を入れる場合には、袋本体１１０は油紙などの耐油性を有する材質からつくることも可能である。
【００２７】
一対の指サック部材１２０の各々は、袋本体１１０の開口部１１１を形成する側面のうち、相互に対向する側面の各々の外側表面１１２に沿って、あるいは、外側表面１１２上に延びるように形成されている。
【００２８】
一対の指サック部材１２０の各々には食品用袋１００のユーザーが一本の指を入れることができる空洞部１２１が形成されている。
【００２９】
指サック部材１２０は、袋本体１１０と同様に、紙、ビニールその他の樹脂などの材質からなる。指サック部材１２０は袋本体１１０と同一の材質でもよく、あるいは、袋本体１１０とは異なる材質であってもよい。
【００３０】
一対の指サック部材１２０の各々は袋本体１１０とは別体の袋状部材からなっている。
【００３１】
さらに、一対の指サック部材１２０は、図１（Ｂ）に示すように、空洞部１２１の開口部１２２が同じ方向を向くように、さらに、指サック部材１２０の各々が袋本体１１０に対して可動であるように、袋本体１１０に対して取り付けられている。
【００３２】
具体的には、一対の指サック部材１２０の各々は、それらの空洞部１２１の開口部１２２の一点において、空洞部１２１の開口部１２２が同じ方向を向くように、袋本体１１０に対して連結されている。
【００３３】
図１（Ａ）に示すように、一対の指サック部材１２０の各々は袋本体１１０の一端（図１（Ａ）の右端）から他端（図１（Ａ）の左端）に向かって延び、袋本体１１０の幅（図１（Ａ）の左右方向における袋本体１１０の長さ）の半分以上の長さを有している。
【００３４】
また、一対の指サック部材１２０の各々は袋本体１１０の高さ（図１（Ａ）の上下方向における長さ）のほぼ中間の位置に配置されている。
【００３５】
図２は、本実施形態に係る食品用袋１００の使用状況を示す概略図である。
【００３６】
図２に示すように、本実施形態に係る食品用袋１００の使用時には、ユーザーは一対の指サック部材１２０の各々に一本ずつ指を入れることにより（例えば、親指と人指し指）、袋本体１１０の中の食品１３０を袋本体１１０の外側から掴むことができる。
【００３７】
袋本体１１０の開口部１１１から外部に露出している食品１３０の部分１３１を食べ終わると、ユーザーは、袋本体１１０の内部にある食品１３０の他の部分１３２を袋本体１１０の開口部１１１から外部に露出させるため、袋本体１１０を少しずつ食品１３０に対して相対的に下方にずらす、あるいは、食品１３０を袋本体１１０に対して相対的に上方に押し上げる作業を行うことが必要になる。
【００３８】
ユーザーの指が入れられている一対の指サック部材１２０は袋本体１１０に対して連結されているため、ユーザーが袋本体１１０から指を離しても、袋本体１１０が食品１３０ごと落下することはない。
【００３９】
このため、ユーザーは一対の指サック部材１２０に入れている２本の指及び他の３本の指を使って、袋本体１１０を少しずつ食品１３０に対して相対的に下方にずらす、すなわち、食品１３０を少しずつ袋本体１１０に対して相対的に上方に押し上げることにより、食品１３０の部分１３２を袋本体１１０の開口部１１１から外側に露出させるという、従来は困難であった作業を比較的容易に行うことができる。
【００４０】
本実施形態に係る食品用袋１００の構造は上記の構造に限定されるものではなく、種々の改変が可能である。
【００４１】
本実施形態に係る食品用袋１００においては、指サック部材１２０は袋本体１１０の一対の外側表面１１２の双方に対応して形成されているが、指サック部材１２０は何れか一方の外側表面１１２にのみ対応して形成することも可能である。指サック部材１２０を何れか一方の外側表面１１２にのみ対応して形成する場合、指サック部材１２０を袋本体１１０の一対の外側表面１１２の双方に対応して形成する場合と比較して、操作性は若干低下するが、第一の実施形態に係る食品用袋１００と同様の効果を得ることが可能である。
【００４２】
袋本体１１０と一対の指サック部材１２０とは一体的に形成してもよく、あるいは、それぞれを別個に製作した後、一対の指サック部材１２０を袋本体１１０に対して取り付けることも可能である。
【００４３】
また、一対の指サック部材１２０の長さ（図１（Ａ）の左右方向における長さ）は図１（Ａ）に示した長さに限定されるものではなく、ユーザーが袋本体１１０の中の食品１３０を掴むのに適した長さである限りにおいて、任意の長さを選定することが可能である。
【００４４】
例えば、一対の指サック部材１２０の長さとしては、袋本体１１０の幅（図１（Ａ）の左右方向における袋本体１１０の長さ）と同一の長さとしてもよく、あるいは、袋本体１１０の幅よりも大きい長さを選定することも可能である（この場合には、一対の指サック部材１２０が袋本体１１０の外側にまで延びることになる）。
【００４５】
また、一対の指サック部材１２０を配置する袋本体１１０の高さの位置は任意である。本実施形態に係る食品用袋１００においては、袋本体１１０の高さのほぼ中間の位置に一対の指サック部材１２０の各々が配置されているが、それよりも高い位置、あるいは、低い位置に一対の指サック部材１２０を配置することも可能である。
【００４６】
（第二の実施形態）
図３（Ａ）は本発明の第二の実施形態に係る食品用袋２００の平面図であり、図３（Ｂ）は食品用袋２００を図３（Ａ）のＢ方向から見たときの上面図である。
【００４７】
本実施形態に係る食品用袋２００は３対の指サック部材２２０Ａ、２２０Ｂ、２２０Ｃを備えている。このように複数対の指サック部材を備えている点を除いて、本実施形態に係る食品用袋２００は第一の実施形態に係る食品用袋１００と同一の構造を有している。このため、第一の実施形態に係る食品用袋１００と同一の構成要素に対しては第一の実施形態と同様の参照符号を用いる。
【００４８】
３対の指サック部材２２０Ａ、２２０Ｂ、２２０Ｃの各々は第一の実施形態に係る食品用袋１００における一対の指サック部材１２０と同一の構造を有している。
【００４９】
３対の指サック部材２２０Ａ、２２０Ｂ、２２０Ｃは袋本体１１０の開口部１１１と袋本体１１０の底部１１３との間において相互に間隔を開けて配置されている。例えば、３対の指サック部材２２０Ａ、２２０Ｂ、２２０Ｃは等間隔に配置される。
【００５０】
本実施形態に係る食品用袋２００によれば、３対の指サック部材２２０Ａ、２２０Ｂ、２２０Ｃが形成されているため、ユーザーは任意の指サック部材を選択することができるとともに、例えば、袋本体１１０の中の食品１３０（図２参照）を袋本体１１０に対して相対的に上方にずり上げるときに、適当な位置にある指サック部材を交互に選択することができるため、より容易に食品１３０のずり上げを行うことが可能である。
【００５１】
なお、指サック部材の対の数は３に限定されるものではなく、２または４以上の任意の数を選択することが可能である。
【００５２】
また、第一の実施形態に係る食品用袋１００の場合と同様に、指サック部材２２０Ａ、２２０Ｂ、２２０Ｃは袋本体１１０の一対の外側表面１１２の何れか一方にのみ対応して形成することも可能である。
【００５３】
（第三の実施形態）
図４（Ａ）は本発明の第三の実施形態に係る食品用袋３００の平面図であり、図４（Ｂ）は食品用袋３００を図４（Ａ）のＢ方向から見たときの上面図である。
【００５４】
本実施形態に係る食品用袋３００は、第一の実施形態に係る食品用袋１００と比較して、一対の指サック部材の構造のみが異なっており、他の点について同一の構造を有している。このため、第一の実施形態に係る食品用袋１００と同一の構成要素に対しては第一の実施形態と同様の参照符号を用いる。
【００５５】
本実施形態に係る食品用袋３００においては、一対の指サック部材３２０の各々は、袋本体１１０の外側表面１１２に接合されることにより空洞部３２１を形成するシート状部材３２２から構成されている。
【００５６】
第一の実施形態に係る食品用袋１００においては、一対の指サック部材１２０は袋本体１１０とは別個の袋状部材として形成されていたが、本実施形態における一対の指サック部材３２０は袋本体１１０の外側表面１１２に取り付けられたシート状部材３２２からなっている。このシート状部材３２２が袋本体１１０の外側表面１１２と協働することにより、空洞部３２１（第一の実施形態における指サック部材１２０の空洞部１２１に対応するもの）を形成している。すなわち、シート状部材３２２及び袋本体１１０の外側表面１１２はいずれも空洞部３２１の一部を形成し、シート状部材３２２及び袋本体１１０の外側表面１１２が一体として空洞部３２１を形成している。
【００５７】
このため、第一の実施形態に係る食品用袋１００においては、一対の指サック部材１２０は袋本体１１０に対して可動の状態にあったが、本実施形態における指サック部材３２０は袋本体１１０の外側表面１１２上において外側表面１１２に沿って形成された状態になっている。
【００５８】
本実施形態に係る食品用袋３００によっても、第一の実施形態に係る食品用袋１００と同様に、ユーザーは一対の指サック部材３２０に入れている２本の指及び他の３本の指を使って、袋本体１１０を少しずつ食品１３０に対して相対的に下方にずらす、すなわち、食品１３０（図２参照）を少しずつ袋本体１１０に対して相対的に上方に押し上げることにより、食品１３０の部分１３２（図２参照）を袋本体１１０の開口部１１１から外側に露出させるという、従来は困難であった作業を比較的容易に行うことができる。
【００５９】
なお、第一の実施形態に係る食品用袋１００の場合と同様に、指サック部材３２０は袋本体１１０の一対の外側表面１１２の何れか一方にのみ対応して形成することも可能である。
【００６０】
（第四の実施形態）
図５（Ａ）は本発明の第四の実施形態に係る食品用袋４００の平面図であり、図５（Ｂ）は食品用袋４００を図５（Ａ）のＢ方向から見たときの上面図である。
【００６１】
本実施形態に係る食品用袋４００は３対の指サック部材３２０Ａ、３２０Ｂ、３２０Ｃを備えている。このように複数対の指サック部材を備えている点を除いて、本実施形態に係る食品用袋４００は第三の実施形態に係る食品用袋３００と同一の構造を有している。このため、第三の実施形態に係る食品用袋３００と同一の構成要素に対しては第三の実施形態と同様の参照符号を用いる。
【００６２】
３対の指サック部材３２０Ａ、３２０Ｂ、３２０Ｃの各々は第三の実施形態に係る食品用袋３００における一対の指サック部材３２０と同一の構造を有している。
【００６３】
３対の指サック部材３２０Ａ、３２０Ｂ、３２０Ｃは袋本体１１０の開口部１１１と袋本体１１０の底部１１３との間において相互に間隔を開けて配置されている。例えば、３対の指サック部材３２０Ａ、３２０Ｂ、３２０Ｃは等間隔に配置される。
【００６４】
本実施形態に係る食品用袋４００によれば、３対の指サック部材３２０Ａ、３２０Ｂ、３２０Ｃが形成されているため、ユーザーは任意の指サック部材を選択することができるとともに、例えば、袋本体１１０の中の食品１３０（図２参照）を袋本体１１０に対して相対的に上方にずり上げるときに、適当な位置にある指サック部材を交互に選択することができるため、より容易に食品１３０のずり上げを行うことが可能である。
【００６５】
なお、指サック部材の対の数は３に限定されるものではなく、２または４以上の任意の数を選択することが可能である。
【００６６】
なお、第一の実施形態に係る食品用袋１００の場合と同様に、指サック部材３２０Ａ、３２０Ｂ、３２０Ｃは袋本体１１０の一対の外側表面１１２の何れか一方にのみ対応して形成することも可能である。
【００６７】
（第五の実施形態）
図６（Ａ）は本発明の第五の実施形態に係る食品用袋５００の平面図であり、図６（Ｂ）は食品用袋５００を図６（Ａ）のＢ方向から見たときの上面図である。
【００６８】
本実施形態に係る食品用袋５００は、図４（Ａ）及び図４（Ｂ）に示した第三の実施形態に係る食品用袋３００と比較して、指サック部材の取り付け位置のみが異なっており、その他の点に関しては、第三の実施形態に係る食品用袋３００と同一の構造を有している。このため、第三の実施形態に係る食品用袋３００と同一の構成要素に対しては第三の実施形態と同様の参照符号を用いる。
【００６９】
具体的には、第一の実施形態に係る食品用袋１００においては、一対の指サック部材１２０の各々は、それらの開始端（指サック部材１２０の右側端部）、すなわち、空洞部１２１の開口部１２２が袋本体１１０の右側端部と位置的に重なり合っていたが、本実施形態に係る食品用袋５００においては、一対の指サック部材５２０の各々は、それらの開始端（指サック部材５２０の右側端部）、すなわち、空洞部５２１の開口部５２２が袋本体１１０の右側端部よりも離れた箇所に位置している。換言すれば、一対の指サック部材５２０の開始端（指サック部材５２０の右側端部）と袋本体１１０の右側端部とは所定の距離だけ離れている。
【００７０】
本実施形態のように、一対の指サック部材５２０の各々の空洞部５２１の開口部５２２を袋本体１１０の右側端部から離すようにして、一対の指サック部材５２０を配置することも可能である。
【００７１】
本実施形態に係る食品用袋５００によっても、第三の実施形態に係る食品用袋３００と同様の効果を得ることが可能である。
【００７２】
なお、第三の実施形態のみならず、上述の第一、第二及び第四の実施形態に対しても本実施形態を適用することが可能である。すなわち、本実施形態における指サック部材５２０と同様に、第一、第二及び第四の実施形態における指サック部材１２０、２２０Ａ、２２０Ｂ、２２０Ｃ、３２０Ａ、３２０Ｂ、３２０Ｃも袋本体１１０の開始端（袋本体１１０の右側端部）から離れた位置にそれらの空洞部１２１の開口部１２２が位置するように配置することが可能である。
【００７３】
（第六の実施形態）
図７（Ａ）は本発明の第六の実施形態に係る食品用袋６００の平面図であり、図７（Ｂ）は食品用袋６００を図７（Ａ）のＢ方向から見たときの側面図である。
【００７４】
本実施形態に係る食品用袋６００は、袋本体６１０と、一対の指サック部材６２０と、を備えている。
【００７５】
袋本体６１０は第一の実施形態における袋本体１１０と同一の形状及び構造を有している。
【００７６】
一対の指サック部材６２０の各々は、袋本体６１０の開口部６１１を形成する側面のうち、相互に対向する側面の各々の外側表面６１２に沿って延びているとともに、袋本体６１０の開口部６１１と袋本体６１０の底部６１３とにおいて両端が接合されたシート状部材６３０からなっている。
【００７７】
シート状部材６３０を袋本体６１０に対してこのように取り付けることにより、図７（Ｂ）に示すように、一対の指サック部材６２０の各々と袋本体６１０の外側表面６１２との間には、食品用袋６００のユーザーが指を入れることができる空洞部６２１が形成される。
【００７８】
図７（Ａ）に示すように、シート状部材６３０の幅（図７（Ａ）の左右方向における長さ）は袋本体６１０の幅よりも小さく設定されている。具体的には、シート状部材６３０の幅は袋本体６１０の幅のほぼ半分であり、袋本体６１０の中心線６１４（袋本体６１０の左右方向における中心を通り、袋本体６１０の上下方向に延びる中心線）を中心として中心線６１４の左右に広がる領域を有している。
【００７９】
図８は、本実施形態に係る食品用袋６００の使用状況を示す概略図である。
【００８０】
図８に示すように、本実施形態に係る食品用袋６００の使用時には、ユーザーは一対の指サック部材６２０の一方に親指を、他方に残りの４本の指を入れることにより、袋本体６１０の中の食品１３０を袋本体６１０の外側から掴むことができる。
【００８１】
袋本体６１０の開口部６１１から外部に露出している食品１３０の部分１３１を食べ終わると、ユーザーは、袋本体６１０の内部にある食品１３０の他の部分１３２を袋本体６１０の開口部６１１から外部に露出させるため、袋本体６１０を少しずつ食品１３０に対して相対的に下方にずらす、あるいは、食品１３０を袋本体６１０に対して相対的に上方に押し上げる作業を行うことが必要になる。
【００８２】
ユーザーの指が入れられている一対の指サック部材６２０は袋本体６１０に対して結合されているため、ユーザーが袋本体６１０から指を離しても、袋本体６１０が食品１３０ごと落下することはない。
【００８３】
このため、ユーザーは一対の指サック部材６２０に入れている全ての指を使って、袋本体６１０を少しずつ食品１３０に対して相対的に下方にずらす、すなわち、食品１３０を少しずつ袋本体６１０に対して相対的に上方に押し上げることにより、食品１３０の部分１３２を袋本体６１０の開口部６１１から外側に露出させるという、従来は困難であった作業を比較的容易に行うことができる。
【００８４】
本実施形態に係る食品用袋６００の構造は上記の構造に限定されるものではなく、種々の改変が可能である。
【００８５】
本実施形態に係る食品用袋６００においては、シート状部材６３０の幅（図７（Ａ）の左右方向における長さ）は袋本体６１０の幅よりも小さく設定されているが、シート状部材６３０の幅は、例えば、袋本体６１０の幅と同一にすることも可能である。
【００８６】
また、第一の実施形態に係る食品用袋１００の場合と同様に、指サック部材６２０は袋本体１１０の一対の外側表面１１２の何れか一方にのみ対応して形成することも可能である。
【００８７】
（第七の実施形態）
図９（Ａ）は本発明の第七の実施形態に係る食品用袋７００の平面図であり、図９（Ｂ）は食品用袋７００を図９（Ａ）のＢ方向から見たときの側面図である。
【００８８】
本実施形態に係る食品用袋７００は開口部７１１を有する袋本体７１０を備えている。
【００８９】
袋本体７１０の開口部７１１からは、開口部７１１を形成する袋本体７１０の一対の外側表面７１２の一方の面７１２Ａに連続して、袋本体７１０の底部７１３から開口部７１１に向かう方向に指サック形成面７２０が延びている。
【００９０】
指サック形成面７２０は半円に近い形状をなしており、指サック形成面７２０の外側表面７２１（袋本体７１０の開口部７１１とは反対側に位置する面）には、指サック形成面７２０の先端に近い位置において、接着性領域７２２が形成されている。
【００９１】
接着性領域７２２は、例えば、両面粘着テープを指サック形成面７２０の外側表面７２１に貼り付けることにより、形成することが可能である。なお、この場合には、両面粘着テープの表面には剥離紙を付けたままにしておく。
【００９２】
図１０（Ａ）は使用可能な状態にある本実施形態に係る食品用袋７００を示す平面図であり、図１０（Ｂ）は使用可能な状態にある食品用袋７００を図１０（Ａ）のＢ方向から見たときの側面図である。
【００９３】
本実施形態に係る食品用袋７００は、以下のようにして、使用される。
【００９４】
先ず、袋本体７１０の開口部７１１に沿って袋本体７１０から指サック形成面７２０を外側に（すなわち、開口部７１１がある側とは反対側に）折り曲げる。
【００９５】
次いで、接着性領域７２２を介して指サック形成面７２０を袋本体７１０の外側表面７１２Ａに貼り付ける。粘着性領域７２２を両面粘着テープにより形成した場合には、剥離紙を剥がした後、両面粘着テープを介して指サック形成面７２０を袋本体７１０の外側表面７１２Ａに貼り付ける。
【００９６】
これにより、図１０（Ｂ）に示すように、指サック形成面７２０と袋本体７１０の外側表面７１２Ａとの間には空洞部７２３が形成される。
【００９７】
食品用袋７００のユーザーは、食品用袋７００の使用時には（すなわち、食品用袋７００の中の食品１３０（図２参照）を食べる時には）、空洞部７２３に指を入れて、袋本体７１０とともに、袋本体７１０の中の食品１３０を掴むことができる。このため、本実施形態に係る食品用袋７００によっても、上述の第一乃至第六の実施形態に係る食品用袋１００−６００と同様の効果を得ることが可能である。
【００９８】
本実施形態に係る食品用袋７００の構造は上記の構造に限定されるものではなく、種々の改変が可能である。
【００９９】
本実施形態に係る食品用袋７００においては、指サック形成面７２０は袋本体７１０の一方の外側表面７１２Ａにのみ連続して形成されているが、袋本体７１０の一対の外側表面７１２の双方に対応して、指サック形成面７２０を形成することも可能である。すなわち、袋本体７１０の一方の外側表面７１２Ａに連続して指サック形成面７２０を形成することに加えて、袋本体７１０の他方の外側表面７１２Ｂ（図９（Ｂ）参照）に連続して指サック形成面７２０を形成することも可能である。これにより、袋本体７１０の一対の外側表面７１２の双方に対応して空洞部７２３が形成されることになり、ユーザーによる操作性を向上させることができる。
【０１００】
また、本実施形態に係る食品用袋７００においては、指サック形成面７２０に接着性領域７２２を形成したが、それに代えて、袋本体７１０の外側表面７１２に接着性領域７２２を形成することも可能である。あるいは、指サック形成面７２０と本体７１０の外側表面７１２との双方に接着性領域７２２を形成することも可能である。
【０１０１】
また、指サック形成面７２０の形状は本実施形態における形状に限定されるものではなく、袋本体７１０の外側表面７１２と協働して空洞部７２３を形成することができるものである限りにおいて、指サック形成面７２０は任意の形状を有することができる。
【０１０２】
（第八の実施形態）
図１１は本発明の第八の実施形態に係る食品用袋８００の平面図である。
【０１０３】
図９（Ａ）及び図９（Ｂ）に示した第七の実施形態に係る食品用袋７００においては、指サック形成面７２０にのみ接着性領域７２２が形成されていたが、本実施形態に係る食品用袋８００においては、指サック形成面７２０に形成された接着性領域７２２に加えて、袋本体７１０の外側表面７１２にも接着性領域が形成されている。この点を除いて、本実施形態に係る食品用袋８００は第七の実施形態に係る食品用袋７００と同一の構造を有している。このため、第七の実施形態に係る食品用袋７００と同一の構成要素に対しては第七の実施形態と同様の参照符号を用いる。
【０１０４】
図１１に示すように、本実施形態に係る食品用袋８００においては、袋本体７１０の外側表面７１２に３個の接着性領域７３２Ａ、７３２Ｂ、７３２Ｃが上下方向に相互に間隔を開けて形成されている。
【０１０５】
このため、指サック形成面７２０に形成された接着性領域７２２を３個の接着性領域７３２Ａ、７３２Ｂ、７３２Ｃの何れか一つに接着させることにより、形成される空洞部７２３のサイズを変えることができる。
【０１０６】
図１２は本発明の第八の実施形態の変形例に係る食品用袋８５０の平面図である。
【０１０７】
図１２に示すように、袋本体７１０の外側表面７１２には１個の接着性領域７３２を形成し、指サック形成面７２０には３個の接着性領域７２２Ａ、７２２Ｂ、７２２Ｃを上下方向に相互に間隔を開けて形成することも可能である。
【０１０８】
食品用袋８５０によっても、第八の実施形態に係る食品用袋８００と同様に、指サック形成面７２０に形成された３個の接着性領域７２２Ａ、７２２Ｂ、７２２Ｃの何れか一つを袋本体７１０の外側表面７１２の接着性領域７３２に接着させることにより、形成される空洞部７２３のサイズを変えることができる。
【０１０９】
（第九の実施形態）
図１３は本発明の第九の実施形態に係る食品用袋９００の平面図である。
【０１１０】
本実施形態に係る食品用袋９００においては、袋本体７１０の底部７１３から、開口部７１１から離れる方向に延びる指サック形成面９２０が形成されている。
【０１１１】
指サック形成面９２０には、第七の実施形態における接着性領域７２２と同様の接着性領域９２２が形成されている。
【０１１２】
すなわち、第七の実施形態に係る食品用袋７００においては、袋本体７１０の開口部７１１を始端として延びる指サック形成面７２０が形成されているのに対して、本実施形態に係る食品用袋９００においては、袋本体７１０の底部７１３を始端として延びる指サック形成面９２０が形成されている。
【０１１３】
本実施形態のように、袋本体７１０の底部７１３を始端として延びる指サック形成面９２０を形成することによっても、第七の実施形態に係る食品用袋７００と同様の効果を得ることができる。
【０１１４】
なお、本実施形態に係る食品用袋９００においても、指サック形成面９２０に代えて、袋本体７１０の外側表面７１２に接着性領域９２２を形成することが可能である。
【０１１５】
さらに、指サック形成面９２０または袋本体７１０の外側表面７１２の何れに接着性領域を形成する場合であっても、図１１及び図１２に示したように、複数個の接着性領域を形成することが可能である。
【０１１６】
（第十の実施形態）
図１４（Ａ）は本発明の第十の実施形態に係る指サック１０００の斜視図であり、図１４（Ｂ）は図１４（Ａ）のＢ方向から見た場合の指サック１０００の正面図である。
【０１１７】
本実施形態に係る指サック１０００は、一対の指サック部材１１００と、一対の指サック部材１１００を連結する平面状領域１２００と、からなる。
【０１１８】
指サック１０００は、紙、ビニールその他の樹脂などの材質からつくられている。
【０１１９】
一対の指サック部材１１００の各々には食品用袋のユーザーが一本の指を入れることができる空洞部１１１１が形成されている。
【０１２０】
一対の指サック部材１１００は、それらの各々の空洞部１１１１の入り口が隣接するように、すなわち、空洞部１１１１の入り口が同じ向きを向くように、平面状領域１２００を介して連続して配置されている。
【０１２１】
一対の指サック部材１１００の相互に対向する表面１１１２には、一対の指サック部材１１００の各々の先端付近において、食品用袋の外側表面（例えば、図１に示した袋本体１１０の外側表面１１２）に対して接着可能な接着性領域１１１３がそれぞれ形成されている。
【０１２２】
接着性領域１１１３は、接着性領域７２２の場合と同様に、例えば、両面粘着テープを指サック部材１１００の表面１１１２に貼り付けることにより、形成することが可能である。なお、この場合には、両面粘着テープの表面には剥離紙を付けたままにしておく。
【０１２３】
図１５は、本実施形態に係る指サック１０００の使用状況を示す概略的な斜視図である。
【０１２４】
本実施形態に係る指サック１０００を使用する場合には、ユーザーは一対の指サック部材１１００の一方に一本の指を、指サック部材１１００の他方に他の指を差し込む（例えば、図１４（Ａ）の手前側の指サック部材１１００には右手の親指を反対側の指サック部材１１００には右手の人指し指を差し込む）。
【０１２５】
その後、一対の指サック部材１１００の表面１１１２を食品用袋１３００の外側表面の任意の箇所に押し付けることにより、接着性領域１１１３を介して、一対の指サック部材１１００の各々を食品用袋１３００の外側表面に対して接着させる。
【０１２６】
これにより、図４（Ａ）及び図４（Ｂ）に示した第三の実施形態に係る食品用袋３００と同様の食品用袋が形成されることになり、第三の実施形態に係る食品用袋３００の場合と同様に、ユーザーは一対の指サック部材１１００に入れている２本の指を使って、食品用袋１３００を少しずつ食品１４００に対して相対的に下方にずらす、すなわち、食品１４００を少しずつ食品用袋１３００に対して相対的に上方に押し上げることにより、食品１４００の一部（図２に示した部分１３２に対応する部分）を食品用袋１３００の開口部１３０１から外側に露出させるという、従来は困難であった作業を比較的容易に行うことができる。
【０１２７】
さらに、本実施形態に係る指サック１０００によれば、既存の食品用袋を改変することなくそのまま用いて、第三の実施形態に係る食品用袋３００と同様の食品用袋を形成することが可能である。
【０１２８】
本実施形態に係る指サック１０００は上記の構造に限定されるものではなく、種々の改変が可能である。
【０１２９】
例えば、本実施形態に係る指サック１０００においては、一対の指サック部材１１００を連結するための平面状領域１２００が形成されているが、平面状領域１２００を形成することは必ずしも必要ではない。図１６に示すように、平面状領域１２００を省略して、一対の指サック部材１１００を相互に直接に連結することも可能である。
【０１３０】
また、本実施形態に係る指サック１０００においては、一対の指サック部材１１００の表面１１１２に接着性領域１１１３が形成されているが、この接着性領域１１１３は食品用袋１３００の表面に形成することも可能であり、その場合には、一対の指サック部材１１００の表面１１１２の接着性領域１１１３は省略することが可能である。
【図面の簡単な説明】
【０１３１】
【図１】図１（Ａ）は本発明の第一の実施形態に係る食品用袋の平面図であり、図１（Ｂ）は本発明の第一の実施形態に係る食品用袋を図１（Ａ）のＢ方向から見たときの上面図である。
【図２】本発明の第一の実施形態に係る食品用袋の使用状況を示す概略図である。
【図３】図３（Ａ）は本発明の第二の実施形態に係る食品用袋の平面図であり、図３（Ｂ）は本発明の第二の実施形態に係る食品用袋を図３（Ａ）のＢ方向から見たときの上面図である。
【図４】図４（Ａ）は本発明の第三の実施形態に係る食品用袋の平面図であり、図４（Ｂ）は本発明の第三の実施形態に係る食品用袋を図４（Ａ）のＢ方向から見たときの上面図である。
【図５】図５（Ａ）は本発明の第四の実施形態に係る食品用袋の平面図であり、図５（Ｂ）は本発明の第四の実施形態に係る食品用袋を図５（Ａ）のＢ方向から見たときの上面図である。
【図６】図６（Ａ）は本発明の第五の実施形態に係る食品用袋の平面図であり、図６（Ｂ）は本発明の第五の実施形態に係る食品用袋を図６（Ａ）のＢ方向から見たときの上面図である。
【図７】図７（Ａ）は本発明の第六の実施形態に係る食品用袋の平面図であり、図７（Ｂ）は本発明の第六の実施形態に係る食品用袋を図７（Ａ）のＢ方向から見たときの側面図である。
【図８】本発明の第六の実施形態に係る実施形態に係る食品用袋の使用状況を示す概略図である。
【図９】図９（Ａ）は本発明の第七の実施形態に係る食品用袋の平面図であり、図９（Ｂ）は本発明の第七の実施形態に係る食品用袋を図９（Ａ）のＢ方向から見たときの側面図である。
【図１０】図１０（Ａ）は使用可能な状態にある本発明の第七の実施形態に係る実施形態に係る食品用袋を示す平面図であり、図１０（Ｂ）は使用可能な状態にある本発明の第七の実施形態に係る食品用袋を図１０（Ａ）のＢ方向から見たときの側面図である。
【図１１】本発明の第八の実施形態に係る食品用袋の平面図である。
【図１２】本発明の第八の実施形態の変形例に係る食品用袋の平面図である。
【図１３】本発明の第九の実施形態に係る食品用袋の平面図である。
【図１４】図１４（Ａ）は本発明の第十の実施形態に係る指サックの斜視図であり、図１４（Ｂ）は図１４（Ａ）のＢ方向から見た場合の本発明の第十の実施形態に係る指サックの正面図である。
【図１５】本発明の第十の実施形態に係る指サックの使用状況を示す概略的な斜視図である。
【図１６】本発明の第十の実施形態の変形例に係る指サックの正面図である。
【符号の説明】
【０１３２】
１００  本発明の第一の実施形態に係る食品用袋
１１０  袋本体
１１１  袋本体の開口部
１１２  袋本体の外側表面
１２０  指サック部材
１２１  空洞部
１２２  空洞部の開口部
１３０  食品
２００  本発明の第二の実施形態に係る食品用袋
２２０Ａ、２２０Ｂ、２２０Ｃ  指サック部材
３００  本発明の第三の実施形態に係る食品用袋
３２０  指サック部材
３２１  空洞部
３２２  シート状部材
４００  本発明の第四の実施形態に係る食品用袋
３２０Ａ、３２０Ｂ、３２０Ｃ  指サック部材
５００  本発明の第五の実施形態に係る食品用袋
５２０  指サック部材
５２１  空洞部
６００  本発明の第六の実施形態に係る食品用袋
６１０  袋本体
６１１  袋本体の開口部
６１２  袋本体の外側表面
６１３  袋本体の底部
６２０  指サック部材
６２１  空洞部
６３０  シート状部材
７００  本発明の第七の実施形態に係る食品用袋
７１０  袋本体
７２０  指サック形成面
７２２  接着性領域
７２３  空洞部
８００  本発明の第八の実施形態に係る食品用袋
７２２Ａ、７２２Ｂ、７２２Ｃ、７３２Ａ、７３２Ｂ、７３２Ｃ  接着性領域
８５０  本発明の第八の実施形態の変形例に係る食品用袋
９００  本発明の第九の実施形態に係る食品用袋
９２０  指サック形成面
９２２  接着性領域
１０００  本発明の第十の実施形態の変形例に係る指サック
１１００  指サック部材
１２００  平面状領域
１１１３  接着性領域
【図１】
2010116166.tif 000003
【図２】
2010116166.tif 000004
【図３】
2010116166.tif 000005
【図４】
2010116166.tif 000006
【図５】
2010116166.tif 000007
【図６】
2010116166.tif 000008
【図７】
2010116166.tif 000009
【図８】
2010116166.tif 000010
【図９】
2010116166.tif 000011
【図１０】
2010116166.tif 000012
【図１１】
2010116166.tif 000013
【図１２】
2010116166.tif 000014
【図１３】
2010116166.tif 000015
【図１４】
2010116166.tif 000016
【図１５】
2010116166.tif 000017
【図１６】
2010116166.tif 000018
【手続補正書】
【提出日】平成19年9月7日(2007.9.7)
【手続補正１】
【補正対象書類名】特許請求の範囲
【補正対象項目名】全文
【補正方法】変更
【補正の内容】
【特許請求の範囲】
【請求項１】
開口部を有する袋本体と、指サック部材とを備える食品用袋であって、
前記指サック部材は、前記袋本体の前記開口部を形成する側面のうち、少なくとも相互に対向する側面の少なくとも何れか一方の外側表面に沿って延びており、
前記指サック部材には前記食品用袋のユーザーが一本の指を入れることができる空洞部が形成されており、
前記側面の双方の外側表面に形成される場合の前記指サック部材は、前記空洞部の開口部が同じ方向を向くように、前記袋本体に対して取り付けられている食品用袋。
【請求項２】
前記指サック部材は前記袋本体とは別体の袋状部材からなるものであることを特徴とする請求項１に記載の食品用袋。
【請求項３】
前記指サック部材は、前記袋本体の外側表面に接合されることにより前記空洞部を形成するシート状部材からなるものであることを特徴とする請求項１に記載の食品用袋。
【請求項４】
前記食品用袋は複数の指サック部材を備えており、前記複数の指サック部材は前記開口部と前記袋本体の底部との間において相互に間隔を開けて配置されていることを特徴とする請求項１乃至３の何れか一項に記載の食品用袋。
【請求項５】
開口部を有する袋本体と、指サック部材とを備える食品用袋であって、
前記指サック部材は、前記袋本体の前記開口部を形成する側面のうち、少なくとも相互に対向する側面の少なくとも何れか一方の外側表面に沿って延びており、
前記指サック部材は、前記開口部と前記袋本体の底部とにおいて両端が接合されたシート状部材からなり、
前記指サック部材と前記袋本体の外側表面との間には、前記食品用袋のユーザーが指を入れることができる空洞部が形成されるものである食品用袋。
【請求項６】
開口部を有する袋本体を備える食品用袋であって、
前記袋本体の前記開口部からは、前記袋本体の底部から前記開口部に向かう方向に指サック形成面が延びており、
前記指サック形成面の外側表面及び前記袋本体の外側表面の少なくとも何れか一方には少なくとも一つの接着性領域が形成されている食品用袋。
【請求項７】
開口部を有する袋本体を備える食品用袋であって、
前記袋本体の底部からは、前記開口部から離れる方向に指サック形成面が延びており、
前記指サック形成面の外側表面及び前記袋本体の外側表面の少なくとも何れか一方には少なくとも一つの接着性領域が形成されている食品用袋。
【請求項８】
開口部を有する食品用袋の前記開口部を形成する側面のうち、少なくとも相互に対向する側面の各々の外側表面に接着することにより使用される指サックであって、
前記指サックは一対の指サック部材からなり、
前記一対の指サック部材の各々には前記食品用袋のユーザーが一本の指を入れることができる空洞部が形成されており、
前記一対の指サック部材は、前記一対の指サック部材の各々の前記空洞部の入り口が隣接するように、配置されている指サック。
【請求項９】
前記指サックは、前記一対の指サック部材を連結する平面状領域を有することを特徴とする請求項８に記載の指サック。
【請求項１０】
前記一対の指サック部材の相互に対向する表面には前記食品用袋の前記外側表面に対して接着可能な接着性領域が形成されていることを特徴とする請求項８または９に記載の指サック。
【手続補正２】
【補正対象書類名】明細書
【補正対象項目名】００１２
【補正方法】変更
【補正の内容】
【００１２】
上記の目的を達成するため、本発明は、開口部（１１１）を有する袋本体（１１０）と、指サック部材（１２０）とを備える食品用袋（１００）であって、前記指サック部材（１２０）は、前記袋本体（１１０）の前記開口部（１１１）を形成する側面のうち、少なくとも相互に対向する側面の少なくとも何れか一方の外側表面（１１２）に沿って延びており、前記指サック部材（１２０）には前記食品用袋（１００）のユーザーが一本の指を入れることができる空洞部（１２１）が形成されており、前記側面の双方の外側表面（１１２）に形成される場合の前記指サック部材（１２０）は、前記空洞部（１２１）の開口部（１２２）が同じ方向を向くように、前記袋本体（１１０）に対して取り付けられている食品用袋（１００）を提供する。
【手続補正３】
【補正対象書類名】明細書
【補正対象項目名】００１３
【補正方法】変更
【補正の内容】
【００１３】
例えば、前記指サック部材（１２０）は前記袋本体（１１０）とは別体の袋状部材からなるものとすることができる。
【手続補正４】
【補正対象書類名】明細書
【補正対象項目名】００１４
【補正方法】変更
【補正の内容】
【００１４】
あるいは、前記指サック部材（３２０）は、前記袋本体（１１０）の外側表面（１１２）に接合されることにより前記空洞部（１２１）を形成するシート状部材（３２２）からなるものとすることができる。
【手続補正５】
【補正対象書類名】明細書
【補正対象項目名】００１５
【補正方法】変更
【補正の内容】
【００１５】
前記食品用袋（２００、４００）は複数の指サック部材（２２０Ａ、２２０Ｂ、２２０Ｃ：３２０Ａ、３２０Ｂ、３２０Ｃ）を備えることができる。この場合、前記複数の指サック部材（２２０Ａ、２２０Ｂ、２２０Ｃ：３２０Ａ、３２０Ｂ、３２０Ｃ）は前記開口部（１１１）と前記袋本体（１１０）の底部（１１３）との間において相互に間隔を開けて配置される。
【手続補正６】
【補正対象書類名】明細書
【補正対象項目名】００１６
【補正方法】変更
【補正の内容】
【００１６】
さらに、本発明は、開口部（６１１）を有する袋本体（６１０）と、指サック部材（６２０）とを備える食品用袋（６００）であって、前記指サック部材（６２０）は、前記袋本体（６１０）の前記開口部（６１１）を形成する側面のうち、少なくとも相互に対向する側面の少なくとも何れか一方の外側表面（６１２）に沿って延びており、前記指サック部材（６２０）は、前記開口部（６１１）と前記袋本体（６１０）の底部（６１３）とにおいて両端が接合されたシート状部材（６３０）からなり、前記指サック部材（６２０）と前記袋本体（６１０）の外側表面（６１２）との間には、前記食品用袋（６００）のユーザーが指を入れることができる空洞部（６２１）が形成されるものである食品用袋（６００）を提供する。
【手続補正書】
【提出日】平成19年11月28日(2007.11.28)
【手続補正１】
【補正対象書類名】特許請求の範囲
【補正対象項目名】全文
【補正方法】変更
【補正の内容】
【特許請求の範囲】
【請求項１】
開口部を有する袋本体と、指サック部材とを備える食品用袋であって、
前記指サック部材は、前記袋本体の前記開口部を形成する側面のうち、少なくとも相互に対向する側面の 何れか一方の外側表面に沿って延びており、
前記指サック部材には前記食品用袋のユーザーが一本の指を入れることができる空洞部が形成されており、
前記指サック部材は前記袋本体とは別体の袋状部材からなり、
前記指サック部材は前記空洞部の開口部の一点において前記袋本体に対して連結されている食品用袋。
【請求項２】
前記指サック部材は前記側面の双方の外側表面に形成されており、前記指サック部材は、前記空洞部の前記開口部が同じ方向を向くように、前記袋本体に対して取り付けられていることを特徴とする請求項１に記載の食品用袋。
【請求項３】
前記食品用袋は複数の指サック部材を備えており、前記複数の指サック部材は前記開口部と前記袋本体の底部との間において相互に間隔を開けて配置されていることを特徴とする請求項１または２に記載の食品用袋。
【請求項４】
開口部を有する食品用袋の前記開口部を形成する側面のうち、少なくとも相互に対向する側面の各々の外側表面に接着することにより使用される指サックであって、
前記指サックは一対の指サック部材からなり、
前記一対の指サック部材の各々には前記食品用袋のユーザーが一本の指を入れることができる空洞部が形成されており、
前記一対の指サック部材は、前記一対の指サック部材の各々の前記空洞部の入り口が隣接するように、配置されている指サック。
【請求項５】
前記指サックは、前記一対の指サック部材を連結する平面状領域を有することを特徴とする請求項４に記載の指サック。
【請求項６】
前記一対の指サック部材の相互に対向する表面には前記食品用袋の前記外側表面に対して接着可能な接着性領域が形成されていることを特徴とする請求項４または５に記載の指サック。
【手続補正２】
【補正対象書類名】明細書
【補正対象項目名】００１２
【補正方法】変更
【補正の内容】
【００１２】
上記の目的を達成するため、本発明は、開口部（１１１）を有する袋本体（１１０）と、指サック部材（１２０）とを備える食品用袋（１００）であって、前記指サック部材（１２０）は、前記袋本体（１１０）の前記開口部（１１１）を形成する側面のうち、少なくとも相互に対向する側面の 何れか一方の外側表面（１１２）に沿って延びており、前記指サック部材（１２０）には前記食品用袋（１００）のユーザーが一本の指を入れることができる空洞部（１２１）が形成されており、前記指サック部材（１２０）は前記袋本体（１１０）とは別体の袋状部材からなり、前記指サック部材（１２０）は前記空洞部（１２１）の開口部（１２２）の一点において前記袋本体（１１０）に対して連結されている食品用袋（１００）を提供する。
【手続補正３】
【補正対象書類名】明細書
【補正対象項目名】００１３
【補正方法】変更
【補正の内容】
【００１３】
前記指サック部材（１２０）は前記側面の双方の外側表面（１１２）に形成することができ、その場合には、前記指サック部材（１２０）は、前記空洞部（１２１）の前記開口部（１２２）が同じ方向を向くように、前記袋本体（１１０）に対して取り付けられる。
【手続補正４】
【補正対象書類名】明細書
【補正対象項目名】００１４
【補正方法】削除
【補正の内容】
【手続補正５】
【補正対象書類名】明細書
【補正対象項目名】００１６
【補正方法】削除
【補正の内容】
【手続補正６】
【補正対象書類名】明細書
【補正対象項目名】００１７
【補正方法】削除
【補正の内容】
【手続補正７】
【補正対象書類名】明細書
【補正対象項目名】００１８
【補正方法】削除
【補正の内容】
【手続補正書】
【提出日】平成20年3月26日(2008.3.26)
【手続補正１】
【補正対象書類名】特許請求の範囲
【補正対象項目名】全文
【補正方法】変更
【補正の内容】
【特許請求の範囲】
【請求項１】
開口部を有する袋本体と、指サック部材とを備える食品用袋であって、
前記指サック部材は、前記袋本体の前記開口部を形成する側面のうち、少なくとも相互に対向する側面の何れか一方の外側表面に沿って延びており、
前記指サック部材には前記食品用袋のユーザーが一本の指を入れることができる空洞部が形成されており、
前記指サック部材は前記袋本体とは別体の袋状部材からなり、
前記指サック部材は前記空洞部の開口部の一点において前記袋本体に対して連結されている食品用袋。
【請求項２】
前記指サック部材は前記側面の双方の外側表面に形成されており、前記指サック部材は、前記空洞部の前記開口部が同じ方向を向くように、前記袋本体に対して取り付けられていることを特徴とする請求項１に記載の食品用袋。
【請求項３】
前記食品用袋は複数の指サック部材を備えており、前記複数の指サック部材は前記開口部と前記袋本体の底部との間において相互に間隔を開けて配置されていることを特徴とする請求項１または２に記載の食品用袋。
【手続補正２】
【補正対象書類名】明細書
【補正対象項目名】全文
【補正方法】変更
【補正の内容】
【発明の詳細な説明】
【技術分野】
【０００１】
本発明は食品用袋に関し、より詳細には、例えば、フライドチキンやコロッケなどの揚げ物のように、手で直接触れると手が汚れるような食品を入れる食品用袋に関する。
【背景技術】
【０００２】
手で直接触れると手が汚れるような食品（例えば、フライドチキンやコロッケなどのように油で揚げたもの、ドーナツやパイのように表面に粘着性のシロップや調味料が付着しているものなど）を店内（あるいは店外）で食する場合、袋（多くの場合、紙製）に入れられて、購入者に渡されることが多い。
【０００３】
このような場合に購入者の手が汚れないような食品包装袋が提案されている（特許文献１）。
【特許文献１】実用新案登録第３１０５４０８号公報
【発明の開示】
【発明が解決しようとする課題】
【０００４】
袋に入れられた食品を食する場合、購入者は袋の外側から片手で袋の中の食品を掴んで食品を支持し、袋の開口部から外部に露出している食品に齧りつくことになる。
【０００５】
フライドチキンやコロッケなどのように長さのある食品をこのようにして食する場合、食品の一部（すなわち、開口部から外部に露出していた部分）を食べ終わった後、袋の中に隠れている部分を開口部の外側に引きずり出す必要がある。
【０００６】
この場合、購入者は、袋を少しずつ食品に対して相対的に下方にずらすことにより、食品を袋に対して相対的に上方に押し上げ、最終的に、食品を開口部から外部に露出させる作業を行わなければならない。
【０００７】
当然のことながら、この作業は、食品が袋ごと落ちないように、指で食品及び袋の双方を抑えながら行うことが必要である。
【０００８】
しかしながら、多くの人にそのような経験があるものと思われるが、指で食品及び袋の双方を抑えながら、袋を少しずつ食品に対して相対的に下方にずらす、すなわち、食品を少しずつ袋に対して相対的に上方に押し上げるという作業はかなり困難な作業に属する。
【０００９】
特許文献１に記載されている食品包装袋は、購入者の手が汚れないように、袋本体の内側に不織布を配置しただけのものであり、特許文献１においては、上記のような作業が困難であることは認識されておらず、さらには、そのような作業を回避するための提案もなされていない。
【００１０】
本発明はこのような問題に鑑みてなされたものであり、上記のような困難な作業を比較的容易に行うことを可能にする食品用袋及び食品用袋に用いる指サックを提供することを目的とする。
【課題を解決するための手段】
【００１１】
以下に、「発明の実施の形態」において使用される参照符号を用いて、上述の課題を解決するための手段を説明する。これらの参照符号は、「特許請求の範囲」の記載と「発明の実施の形態」の記載との間の対応関係を明らかにするためにのみ付加されたものであり、「特許請求の範囲」に記載されている発明の技術的範囲の解釈に用いるべきものではない。
【００１２】
上記の目的を達成するため、本発明は、開口部（１１１）を有する袋本体（１１０）と、指サック部材（１２０）とを備える食品用袋（１００）であって、前記指サック部材（１２０）は、前記袋本体（１１０）の前記開口部（１１１）を形成する側面のうち、少なくとも相互に対向する側面の何れか一方の外側表面（１１２）に沿って延びており、前記指サック部材（１２０）には前記食品用袋（１００）のユーザーが一本の指を入れることができる空洞部（１２１）が形成されており、前記指サック部材（１２０）は前記袋本体（１１０）とは別体の袋状部材からなり、前記指サック部材（１２０）は前記空洞部（１２１）の開口部の一点において前記袋本体（１１０）に対して連結されている食品用袋（１００）を提供する。
【００１３】
例えば、前記指サック部材（１２０）は前記側面の双方の外側表面（１１２）に形成されており、前記指サック部材（１２０）は、前記空洞部（１２１）の前記開口部（１１１）が同じ方向を向くように、前記袋本体（１１０）に対して取り付けられているようにすることができる。
【００１４】
前記食品用袋（２００）は複数の指サック部材（２２０Ａ、２２０Ｂ、２２０Ｃ）を備えることが可能であり、この場合、前記複数の指サック部材（２２０Ａ、２２０Ｂ、２２０Ｃ）は前記開口部（１１１）と前記袋本体（１１０）の底部（１１３）との間において相互に間隔を開けて配置される。
【発明の効果】
【００１５】
本発明に係る食品用袋によれば、ユーザーは一対の指サック部材に入れている２本の指を使って（あるいは、他の３本の指も使って）、袋本体を少しずつ食品に対して相対的に下方にずらす、すなわち、食品を少しずつ袋本体に対して相対的に上方に押し上げることにより、袋本体の中にある食品の部分を袋本体の開口部から外側に露出させるという、従来は困難であった作業を比較的容易に行うことができる。
【発明を実施するための最良の形態】
【００１６】
（第一の実施形態）
図１（Ａ）は本発明の第一の実施形態に係る食品用袋１００の平面図であり、図１（Ｂ）は食品用袋１００を図１（Ａ）のＢ方向から見たときの上面図である。
【００１７】
本実施形態に係る食品用袋１００は、袋本体１１０と、一対の指サック部材１２０と、を備えている。
【００１８】
袋本体１１０はその上端（図１（Ａ）における上端）において一つの開口部１１１を有しており、開口部１１１以外の領域は閉じられている。
【００１９】
袋本体１１０は紙、ビニールその他の樹脂などの材質からなる。例えば、油で揚げた物を入れる場合には、袋本体１１０は油紙などの耐油性を有する材質からつくることも可能である。
【００２０】
一対の指サック部材１２０の各々は、袋本体１１０の開口部１１１を形成する側面のうち、相互に対向する側面の各々の外側表面１１２に沿って、あるいは、外側表面１１２上に延びるように形成されている。
【００２１】
一対の指サック部材１２０の各々には食品用袋１００のユーザーが一本の指を入れることができる空洞部１２１が形成されている。
【００２２】
指サック部材１２０は、袋本体１１０と同様に、紙、ビニールその他の樹脂などの材質からなる。指サック部材１２０は袋本体１１０と同一の材質でもよく、あるいは、袋本体１１０とは異なる材質であってもよい。
【００２３】
一対の指サック部材１２０の各々は袋本体１１０とは別体の袋状部材からなっている。
【００２４】
さらに、一対の指サック部材１２０は、図１（Ｂ）に示すように、空洞部１２１の開口部１２２が同じ方向を向くように、さらに、指サック部材１２０の各々が袋本体１１０に対して可動であるように、袋本体１１０に対して取り付けられている。
【００２５】
具体的には、一対の指サック部材１２０の各々は、それらの空洞部１２１の開口部１２２の一点において、空洞部１２１の開口部１２２が同じ方向を向くように、袋本体１１０に対して連結されている。
【００２６】
図１（Ａ）に示すように、一対の指サック部材１２０の各々は袋本体１１０の一端（図１（Ａ）の右端）から他端（図１（Ａ）の左端）に向かって延び、袋本体１１０の幅（図１（Ａ）の左右方向における袋本体１１０の長さ）の半分以上の長さを有している。
【００２７】
また、一対の指サック部材１２０の各々は袋本体１１０の高さ（図１（Ａ）の上下方向における長さ）のほぼ中間の位置に配置されている。
【００２８】
図２は、本実施形態に係る食品用袋１００の使用状況を示す概略図である。
【００２９】
図２に示すように、本実施形態に係る食品用袋１００の使用時には、ユーザーは一対の指サック部材１２０の各々に一本ずつ指を入れることにより（例えば、親指と人指し指）、袋本体１１０の中の食品１３０を袋本体１１０の外側から掴むことができる。
【００３０】
袋本体１１０の開口部１１１から外部に露出している食品１３０の部分１３１を食べ終わると、ユーザーは、袋本体１１０の内部にある食品１３０の他の部分１３２を袋本体１１０の開口部１１１から外部に露出させるため、袋本体１１０を少しずつ食品１３０に対して相対的に下方にずらす、あるいは、食品１３０を袋本体１１０に対して相対的に上方に押し上げる作業を行うことが必要になる。
【００３１】
ユーザーの指が入れられている一対の指サック部材１２０は袋本体１１０に対して連結されているため、ユーザーが袋本体１１０から指を離しても、袋本体１１０が食品１３０ごと落下することはない。
【００３２】
このため、ユーザーは一対の指サック部材１２０に入れている２本の指及び他の３本の指を使って、袋本体１１０を少しずつ食品１３０に対して相対的に下方にずらす、すなわち、食品１３０を少しずつ袋本体１１０に対して相対的に上方に押し上げることにより、食品１３０の部分１３２を袋本体１１０の開口部１１１から外側に露出させるという、従来は困難であった作業を比較的容易に行うことができる。
【００３３】
本実施形態に係る食品用袋１００の構造は上記の構造に限定されるものではなく、種々の改変が可能である。
【００３４】
本実施形態に係る食品用袋１００においては、指サック部材１２０は袋本体１１０の一対の外側表面１１２の双方に対応して形成されているが、指サック部材１２０は何れか一方の外側表面１１２にのみ対応して形成することも可能である。指サック部材１２０を何れか一方の外側表面１１２にのみ対応して形成する場合、指サック部材１２０を袋本体１１０の一対の外側表面１１２の双方に対応して形成する場合と比較して、操作性は若干低下するが、第一の実施形態に係る食品用袋１００と同様の効果を得ることが可能である。
【００３５】
袋本体１１０と一対の指サック部材１２０とは一体的に形成してもよく、あるいは、それぞれを別個に製作した後、一対の指サック部材１２０を袋本体１１０に対して取り付けることも可能である。
【００３６】
また、一対の指サック部材１２０の長さ（図１（Ａ）の左右方向における長さ）は図１（Ａ）に示した長さに限定されるものではなく、ユーザーが袋本体１１０の中の食品１３０を掴むのに適した長さである限りにおいて、任意の長さを選定することが可能である。
【００３７】
例えば、一対の指サック部材１２０の長さとしては、袋本体１１０の幅（図１（Ａ）の左右方向における袋本体１１０の長さ）と同一の長さとしてもよく、あるいは、袋本体１１０の幅よりも大きい長さを選定することも可能である（この場合には、一対の指サック部材１２０が袋本体１１０の外側にまで延びることになる）。
【００３８】
また、一対の指サック部材１２０を配置する袋本体１１０の高さの位置は任意である。本実施形態に係る食品用袋１００においては、袋本体１１０の高さのほぼ中間の位置に一対の指サック部材１２０の各々が配置されているが、それよりも高い位置、あるいは、低い位置に一対の指サック部材１２０を配置することも可能である。
【００３９】
（第二の実施形態）
図３（Ａ）は本発明の第二の実施形態に係る食品用袋２００の平面図であり、図３（Ｂ）は食品用袋２００を図３（Ａ）のＢ方向から見たときの上面図である。
【００４０】
本実施形態に係る食品用袋２００は３対の指サック部材２２０Ａ、２２０Ｂ、２２０Ｃを備えている。このように複数対の指サック部材を備えている点を除いて、本実施形態に係る食品用袋２００は第一の実施形態に係る食品用袋１００と同一の構造を有している。このため、第一の実施形態に係る食品用袋１００と同一の構成要素に対しては第一の実施形態と同様の参照符号を用いる。
【００４１】
３対の指サック部材２２０Ａ、２２０Ｂ、２２０Ｃの各々は第一の実施形態に係る食品用袋１００における一対の指サック部材１２０と同一の構造を有している。
【００４２】
３対の指サック部材２２０Ａ、２２０Ｂ、２２０Ｃは袋本体１１０の開口部１１１と袋本体１１０の底部１１３との間において相互に間隔を開けて配置されている。例えば、３対の指サック部材２２０Ａ、２２０Ｂ、２２０Ｃは等間隔に配置される。
【００４３】
本実施形態に係る食品用袋２００によれば、３対の指サック部材２２０Ａ、２２０Ｂ、２２０Ｃが形成されているため、ユーザーは任意の指サック部材を選択することができるとともに、例えば、袋本体１１０の中の食品１３０（図２参照）を袋本体１１０に対して相対的に上方にずり上げるときに、適当な位置にある指サック部材を交互に選択することができるため、より容易に食品１３０のずり上げを行うことが可能である。
【００４４】
なお、指サック部材の対の数は３に限定されるものではなく、２または４以上の任意の数を選択することが可能である。
【００４５】
また、第一の実施形態に係る食品用袋１００の場合と同様に、指サック部材２２０Ａ、２２０Ｂ、２２０Ｃは袋本体１１０の一対の外側表面１１２の何れか一方にのみ対応して形成することも可能である。
【図面の簡単な説明】
【００４６】
【図１】図１（Ａ）は本発明の第一の実施形態に係る食品用袋の平面図であり、図１（Ｂ）は本発明の第一の実施形態に係る食品用袋を図１（Ａ）のＢ方向から見たときの上面図である。
【図２】本発明の第一の実施形態に係る食品用袋の使用状況を示す概略図である。
【図３】図３（Ａ）は本発明の第二の実施形態に係る食品用袋の平面図であり、図３（Ｂ）は本発明の第二の実施形態に係る食品用袋を図３（Ａ）のＢ方向から見たときの上面図である。
【符号の説明】
【００４７】
１００  本発明の第一の実施形態に係る食品用袋
１１０  袋本体
１１１  袋本体の開口部
１１２  袋本体の外側表面
１２０  指サック部材
１２１  空洞部
１２２  空洞部の開口部
１３０  食品
２００  本発明の第二の実施形態に係る食品用袋
２２０Ａ、２２０Ｂ、２２０Ｃ  指サック部材
【手続補正３】
【補正対象書類名】図面
【補正対象項目名】図４
【補正方法】削除
【補正の内容】
【手続補正４】
【補正対象書類名】図面
【補正対象項目名】図５
【補正方法】削除
【補正の内容】
【手続補正５】
【補正対象書類名】図面
【補正対象項目名】図６
【補正方法】削除
【補正の内容】
【手続補正６】
【補正対象書類名】図面
【補正対象項目名】図７
【補正方法】削除
【補正の内容】
【手続補正７】
【補正対象書類名】図面
【補正対象項目名】図８
【補正方法】削除
【補正の内容】
【手続補正８】
【補正対象書類名】図面
【補正対象項目名】図９
【補正方法】削除
【補正の内容】
【手続補正９】
【補正対象書類名】図面
【補正対象項目名】図１０
【補正方法】削除
【補正の内容】
【手続補正１０】
【補正対象書類名】図面
【補正対象項目名】図１１
【補正方法】削除
【補正の内容】
【手続補正１１】
【補正対象書類名】図面
【補正対象項目名】図１２
【補正方法】削除
【補正の内容】
【手続補正１２】
【補正対象書類名】図面
【補正対象項目名】図１３
【補正方法】削除
【補正の内容】
【手続補正１３】
【補正対象書類名】図面
【補正対象項目名】図１４
【補正方法】削除
【補正の内容】
【手続補正１４】
【補正対象書類名】図面
【補正対象項目名】図１５
【補正方法】削除
【補正の内容】
【手続補正１５】
【補正対象書類名】図面
【補正対象項目名】図１６
【補正方法】削除
【補正の内容】